(57)【要約】【課題】回線を通じて音声信号の送受信を行なうと共に、携帯端末の高機能音源を利用できる親機と子機からなるコードレス電話装置およびその利用方法を提供することを目的とする。【解決手段】回線を通じて音声信号の送受信を行なうと共に、携帯端末４の高機能音源を利用できる親機２と子機３からなるコードレス電話装置１であって、子機３および携帯端末４と双方向に無線通信を行なう無線通信部６と、携帯端末４から送られてくる高機能音源を記憶する音源記憶部１１とを有し、これにより、高機能音源部２２を搭載していないコードレス電話装置１においても多重和音化された着信音や保留音を利用できる。【選択図】図１
2006174222.tif 000002
【特許請求の範囲】
【請求項１】
回線を通じて音声信号の送受信を行なうと共に、携帯端末の高機能音源を利用できる親機と子機からなるコードレス電話装置であって、子機および携帯端末と双方向に音声無線通信を行なう無線通信部と、携帯端末から送られてくる高機能音源を記憶する音源記憶部とを親機に備えたことを特徴とするコードレス電話装置。
【請求項２】
前記携帯端末から送られてくる高機能音源と着信通知情報とを連動させて記憶する着信履歴記憶部を親機に付加したことを特徴とするコードレス請求項１に記載のコードレス電話装置。
【請求項３】
前記携帯端末から送られてくる高機能音源を記憶する音源記憶部を子機に付加したことを特徴とする請求項１に記載のコードレス電話装置。
【請求項４】
前記携帯端末から送られてくる高機能音源と着信通知情報とを連動させて記憶する着信履歴記憶部を子機に付加したことを特徴とする請求項３に記載のコードレス電話装置。
【請求項５】
前記コードレス電話装置の子機を複数備えた請求項１から４のいずれかことを特徴とする1項に記載のコードレス電話装置。
【請求項６】
回線を通じて音声信号の送受信を行なうと共に、携帯端末の高機能音源を利用できる親機と子機からなるコードレス電話装置であって、子機および携帯端末と双方向に音声無線通信を行なう無線通信ステップと、携帯端末から送られてくる高機能音源を記憶する音源記憶ステップとを親機において行なうことを特徴とするコードレス電話制御方法。
【請求項７】
前記携帯端末から送られてくる高機能音源と着信通知情報とを連動させて記憶する着信履歴記憶ステップを親機で行なうことを特徴とする請求項６に記載のコードレス電話制御方法。
【請求項８】
前記携帯端末から送られてくる高機能音源を記憶する音源記憶ステップを子機で行なうことを特徴とする請求項６に記載のコードレス電話制御方法
【請求項９】
前記携帯端末から送られてくる高機能音源と着信通知情報とを連動させて記憶する着信履歴記憶ステップを子機で行なうことを特徴とする請求項８に記載のコードレス電話制御方法。
【発明の詳細な説明】
【技術分野】
【０００１】
本発明は、携帯端末の有する高機能音源を利用可能にするコードレス電話装置およびコードレス電話制御方法に関するものである。
【背景技術】
【０００２】
従来、この種のコードレス電話装置は、親機側に搭載した高機能音源使用して生成した着信メロディーや保留音メロディーを無線通信により子機側でも使用できるものであった。
【０００３】
図７は従来のコードレス電話装置のブロック図である。
【０００４】
図７において、コードレス電話装置３１は、回線４６に接続された親機３２と、親機３２を基地局とする限定された移動通信機能を有する子機３３とで構成されており、親機３２と子機３３とは一定の距離内（１００〜１５０ｍ）で双方向に無線可能である。
【０００５】
親機３２は制御部３４の制御の下に電話の相手側と音声信号の送受信を行ない、親機３２は自己に登録済みの子機３３に対しては、無線送信部や無線受信部からなる無線通信部３５を通じて子機３３側と双方向に無線通信可能に構成されている。
【０００６】
制御部３４は、ＣＰＵやＲＡＭやＲＯＭ等で構成されており、親機３２の制御全般を担っており、この親機３２にはコードで接続された受話器３６が備わっているので、受話器３６を取り上げてオフフックすると子機３３との無線通話（内線通話）や回線を通じての外部との通話（外線通話）が可能である。
【０００７】
また、親機３２にはスピーカーホン通話部３７も備わっているので、スピーカー通話部３７のスイッチを押すと手放しでの通話を行なうこともできる。
【０００８】
この親機３２には留守番電話部３８が備わっているので、回線４６からベルが入来しても親機３２側や子機３３側で共にオフフックしない場合には、留守番電話部３８が作動して入来したメッセージの録音ができるようになっている。
【０００９】
この際には、ベルが所定回数（例えば６回）鳴動してもオフフックされないと、制御部３４は切り替えスイッチ３９を通話回路部４０から留守番電話部３８側に切り替えるようになっている（例えば特許文献１参照）。
【００１０】
電話をする場合は操作部４１を操作してダイヤルするのであるが、その際はＬＣＤ等で構成された表示部４２にダイヤルした電話番号を表示して確認できるようになっており、あるいは電話を掛ける相手が電子電話帳４３に登録済みであれば、電子電話帳４３で電話を掛ける相手の名前を検索し、目的の電話番号や名前を表示部４２に表示した後にオフフック操作をすれば電話を掛けることができる。
【００１１】
ところで、親機３２には高機能音源４４が搭載されているので、利用者は必要に応じて親機３２に備わっている本来の着信音や保留音を利用者の好みの着信メロディーや保留メロディーに変更することができる。
【００１２】
そして、着信メロディーの場合には、多重和音化された音声データをスピーカー４５から着信メロディーとして音声出力するし、保留メロディーの場合には、多重和音化された音声データをスピーカー４５から保留メロディーとして音声出力すると共に、回線４６側にも多重和音化された保留音の音声データを送出する。
【００１３】
したがって、子機３３側に高機能音源４４が搭載されていなくても、親機３２側で生成した着信メロディーや保留メロディーの音声データを子機３３側に転送すれば、子機３３側で着信メロディーや保留メロディーを子機３３の着信音や保留音として利用することができる。
【特許文献１】特開２００４−８０６５７号公報
【発明の開示】
【発明が解決しようとする課題】
【００１４】
しかしながら、上記従来のコードレス電話装置では、親機に高機能音源を搭載していなければ子機では多重和音化された着信音や保留音を利用することができないという問題点を有していた。
【００１５】
本発明は上記問題点を解決するものであり、携帯端末と連携することによりコードレス電話装置に高機能音源部を搭載していなくても、多重和音化された着信音や保留音を利用することができるコードレス電話装置およびコードレス電話制御方法を提供することを目的とするものである。
【課題を解決するための手段】
【００１６】
本発明は上記目的を達成するために、回線を通じて音声信号の送受信を行なうと共に、携帯端末の高機能音源を利用できる親機と子機からなるコードレス電話装置であって、携帯端末の高機能音源を利用して多重和音化された着信音や保留音を利用する構成を備えている。
【００１７】
この構成により、携帯端末の高機能音源部を使用して多重和音化された着信音や保留音を利用し、高機能音源部を搭載していないコードレス電話装置においても多重和音化された着信音や保留音を利用できるという作用を達成することができる。
【発明の効果】
【００１８】
以上のように本発明によれば、回線を通じて音声信号の送受信を行なうと共に、携帯端末の高機能音源を利用できる親機と子機からなるコードレス電話装置であって、子機および携帯端末と双方向に音声無線通信を行なう無線通信部と、携帯端末から送られてくる高機能音源を記憶する音源記憶部とを親機または子機の少なくともいずれかに備えた構成にしたことにより、携帯端末の高機能音源部を使用して多重和音化された着信音や保留音を利用し、高機能音源部を搭載していないコードレス電話装置においても多重和音化された着信音や保留音を利用できるという効果が得られる。
【発明を実施するための最良の形態】
【００１９】
本発明のコードレス電話装置は、回線を通じて音声信号の送受信を行なうと共に、携帯端末の高機能音源を利用できる親機と子機からなるコードレス電話装置であって、子機および携帯端末と双方向に音声無線通信を行なう無線通信部と、携帯端末から送られてくる高機能音源を記憶する音源記憶部とを親機に設けた構成を有する。
【００２０】
これにより、携帯端末の高機能音源部を使用して多重和音化された着信音や保留音を利用し、高機能音源を搭載していないコードレス電話装置においても多重和音化された着信音や保留音を利用できるという効果が得られる。
【００２１】
また、前記携帯端末から送られてくる高機能音源と着信通知情報とを連動させて記憶する着信履歴記憶部を親機に付加した構成を有する。
【００２２】
これにより、利用可能な携帯端末の高機能音源を着信通知情報と連動させることで着信相手の特定ができ、更に電子電話帳に登録する事で高機能音源の着信音や保留音として再利用することができるという効果が得られる。
【００２３】
また、前記携帯端末から送られてくる高機能音源を記憶する音源記憶部を子機に付加した構成を有する。
【００２４】
これにより、携帯端末の高機能音源部を使用して多重和音化された着信音や保留音を利用し、高機能音源を搭載していないコードレス電話装置においても多重和音化された着信音や保留音を利用できるという効果が得られる。
【００２５】
また、前記携帯端末から送られてくる高機能音源と着信通知情報とを連動させて記憶する着信履歴記憶部を子機に付加した構成を有する。
【００２６】
これにより、利用可能な携帯端末の高機能音源を着信通知情報と連動させることで着信相手の特定ができ、更に電子電話帳に登録する事で高機能音源の着信音や保留音として再利用することができるという効果が得られる。
【００２７】
また、前記コードレス電話装置の子機を複数備えた構成を有する。
【００２８】
これにより、携帯端末の高機能音源部を使用して多重和音化された着信音や保留音を利用し、高機能音源を搭載していないコードレス電話装置においても多重和音化された着信音や保留音を親機に登録された複数の子機で利用できるという効果が得られる。
【００２９】
本発明のコードレス電話の制御方法は、回線を通じて音声信号の送受信を行なうと共に、携帯端末の高機能音源を利用できる親機と子機からなるコードレス電話装置であって、子機および携帯端末と双方向に音声無線通信を行なう無線通信ステップと、携帯端末から送られてくる高機能音源を記憶する音源記憶ステップとを親機において行なう構成を有する。
【００３０】
これにより、携帯端末の高機能音源部を使用して多重和音化された着信音や保留音を利用し、高機能音源を搭載していないコードレス電話装置においても多重和音化された着信音や保留音を利用できるという効果が得られる。
【００３１】
また、親機において、前記携帯端末から送られてくる高機能音源と着信通知情報とを連動させて記憶する着信履歴記憶ステップを行なう構成を有する。
【００３２】
これにより、利用可能な携帯端末の高機能音源を着信通知情報と連動させたり着信相手の特定ができ、更に電子電話帳に登録する事で高機能音源の着信音や保留音として再利用することができるという効果が得られる。
【００３３】
また、前記携帯端末から送られてくる高機能音源を記憶する音源記憶ステップを子機で行なう構成を有する。
【００３４】
これにより、携帯端末の高機能音源部を使用して多重和音化された着信音や保留音を利用し、高機能音源を搭載していないコードレス電話装置においても多重和音化された着信音や保留音を利用できるという効果が得られる。
【００３５】
また、前記携帯端末から送られてくる高機能音源と着信通知情報とを連動させて記憶する着信履歴記憶ステップを子機で行なう構成を有する。
【００３６】
これにより、利用可能な携帯端末の高機能音源を着信通知情報と連動させることで着信相手の特定ができ、更に電子電話帳に登録する事で高機能音源の着信音や保留音として再利用することができるという効果が得られる。
【実施例】
【００３７】
以下、本発明の実施例におけるコードレス電話装置およびコードレス電話制御方法について、図面を参照しながら説明する。
【００３８】
（実施例１）
図1は本発明の実施例１のコードレス電話装置のブロック図である。
【００３９】
図１において、本発明のコードレス電話装置１は、回線２７に接続された親機２と、この親機２に登録され双方向に無線通信可能な子機３とで構成される。
【００４０】
親機２は、子機３および携帯端末４と双方向に音声無線通信を行なう無線通信部６と、回線２７を通じて外部と通話（外線通話）を行なう通話回路部１３と、スピーカーホン通話をするためスピーカー／マイク１４を含むスピーカーホン通話部１２と、外部と通話するためのダイヤル等の操作をするための親機操作部８と、ＬＣＤ等で構成されダイヤルした電話番号や相手の名前や同じく着信時の相手電話番号や名前を表示したりする親機表示部９と、予め電話番号や名前やメロディー等を登録する電子電話帳１０と、携帯端末４から送られる高機能音源（例えばＰＣＭ音源等でＩＤ番号等のヘッダ情報が付加されており分類可能である）を記憶しておく音源記憶部１１と、ＣＰＵやＲＡＭやＲＯＭ等で構成され親機２の全体制御をする親機制御部５と、通話するための受話器７により構成される。
【００４１】
子機３は、親機２と双方向に無線通信を行なう無線通信部１５と、親機２との内線通話や親機２を介して外部と通話するための通話部１９と、通話するためのダイヤル等の操作をするための子機操作部１６と、ＬＣＤ等で構成されダイヤルした電話番号や相手の名前や同じく着信時の相手電話番号や名前を表示したりする子機表示部１７と、予め電話番号や名前やメロディー等を登録する電子電話帳２０と、親機２から送られてくる着信音や保留音等の音声出力をするスピーカー２１と、ＣＰＵやＲＡＭやＲＯＭ等で構成され子機３の全体制御をする子機制御部１８により構成される。
【００４２】
携帯端末４は、親機２と双方向に音声無線通信を行なう無線通信部２３と、着信音や保留音を多重和音化する高機能音源部２２を含む構成となっている。
【００４３】
以上のように構成されたコードレス電話装置の動作について説明する。
【００４４】
図２は、本発明の実施例１のコードレス電話装置の動作、すなわちコードレス電話制御方法を示すフローチャートである。
【００４５】
例えば、予めコードレス電話装置１の親機２に登録された子機３および携帯端末４があり、携帯端末４に携帯ネットワークから着信があると携帯端末４はその着信通知情報（電話番号や着信相手の名前、着信音等）を受け（ステップＳ２１）、携帯端末４は親機２に着信通知情報（電話番号や着信相手の名前等）の通知を行い（ステップＳ２２）、さらに双方向の音声無線通信をするために無線通信規約（通信プロトコル）にしたがってリンク（通信可能状態）を張る（ステップＳ２３）。
【００４６】
ステップＳ２３で親機２と携帯端末４との間にリンクが張られると、携帯端末４の高機能音源部２２で着信音および保留音を多重和音化して高機能音源を生成し（ステップＳ２４）、親機２は携帯端末４と音声無線通信を開始し携帯端末４から送られてくる高機能音源を受信する（ステップＳ２５）。
【００４７】
ここで、高機能音源を親機２で保存するかどうかをユーザーが判断し（ステップＳ２６）、親機２で高機能音源を保存するとなると、親機制御部５は携帯端末４から受信した高機能音源を音源記憶部１１に保存する（ステップＳ２７）。
【００４８】
そして、親機２で受信した高機能音源を子機３に転送するかどうかをユーザーが判断し（ステップＳ２８）、子機３に高機能音源を転送するときは親機２と子機３と無線通信規約にしたがって音声無線通信を開始し（ステップＳ２９）、親機２は子機３に高機能音源を送信する（ステップＳ３０）。
【００４９】
なお、親機２と子機３および携帯端末４と双方向に音声無線通信する無線通信規約は、ＩＥＥＥ８０２．１１で勧告化された規格や近距離無線規格のブルートゥース（Ｂｌｕｅｔｏｏｔｈ）やジグビー（Ｚｉｇｂｅｅ）等であったり、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）方式やＰＨＳ（Ｐｅｒｓｏｎａｌ  Ｈａｎｄｙｐｈｏｎｅ  Ｓｙｓｔｅｍ）方式等である。
【００５０】
ここで、前記ステップにおいて親機２と携帯端末４が双方向に音声無線通信をするために無線通信規約（通信プロトコル）にしたがってリンクを張るステップＳ２４と、親機２と携帯端末４を音声無線通信を開始し、携帯端末４から送られてくる高機能音源を受信するステップＳ２５と、子機３に高機能音源を転送するときに親機２と子機３との無線通信規約にしたがって音声無線通信を開始するステップＳ２９と、親機２が子機３に高機能音源を送信するステップＳ３０とが無線通信ステップで、高機能音源を親機２で保存するかどうかをユーザーが判断するステップＳ２６と、親機２で高機能音源を保存するときに親機制御部５が携帯端末４から受信した高機能音源を音源記憶部１１に保存するステップＳ２７とが音源記憶ステップである。
【００５１】
以上のように本実施例１によれば、回線を通じて音声信号の送受信を行なうと共に、携帯端末４の高機能音源を利用できる親機２と子機３からなるコードレス電話装置１であって、子機３および携帯端末４と双方向に音声無線通信を行なう無線通信部６と、携帯端末４から送られてくる高機能音源を記憶する音源記憶部１１とを親機２に有することにより、携帯端末４の高機能音源部２２を使用して多重和音化された着信音や保留音を利用し、高機能音源を搭載していないコードレス電話装置１においても多重和音化された着信音や保留音を利用できる。
【００５２】
なお、コードレス電話装置１に複数の子機３が登録された構成でもよく、携帯端末４はパソコンやパソコンに搭載したソフト電話等の音声無線通信が可能なものでもよい。
【００５３】
また上述の通り、コードレス電話装置としてハードウェア的に実現できることは勿論のこと、「ステップ」として把握しコードレス電話制御方法としてソフトウェア的に実現することもできることは明らかである。
【００５４】
（実施例２）
以下、本発明の実施例２におけるコードレス電話装置およびコードレス電話制御方法について、図３を参照しながら説明する。
【００５５】
実施例２のコードレス電話装置１は、基本的には図１の本発明の実施例１におけるコードレス電話装置の構成と同様である。異なる点は図３に示す本発明の実施例２のコードレス電話装置１のブロック図において、携帯端末４から送られてくる高機能音源と着信履歴とを連動させて記憶する着信履歴記憶部２４を親機２に付加した構成である。
【００５６】
以上のように構成されたコードレス電話装置の動作について説明する。
【００５７】
図４は、本発明の実施例２のコードレス電話装置の動作、すなわちコードレス電話制御方法を示すフローチャートである。
【００５８】
携帯端末４に携帯ネットワークから着信があり、親機２は着信のあった携帯端末４から、着信通知情報を受ける各ステップは実施例１と同様であるためその動作の説明は省略する。
【００５９】
携帯端末４より着信通知情報を受けた親機２は、この着信通知情報を着信履歴記憶部２４に保存し（ステップＳ３１）、双方向に音声無線通信をするために親機２と携帯端末４は無線通信規約（通信プロトコル）にしたがってリンク（通信可能状態）を張り（ステップＳ２３）、携帯端末４の高機能音源部２２で着信音および保留音を多重和音化して高機能音源を生成する（ステップＳ２４）。
【００６０】
ステップＳ２３で親機２と携帯端末４との間にリンクが張られているので、親機２は携帯端末４と音声無線通信を開始し携帯端末４から送られてくる高機能音源を受信する（ステップＳ２５）。
【００６１】
ここで、高機能音源と着信通知情報とを連動して保存するかをユーザーが判断し（ステップＳ３２）、親機２で高機能音源と着信通知情報とを連動して保存するとなると、親機制御部５は携帯端末４から受信した高機能音源を音源記憶部１１に保存し（ステップＳ２７）、高機能音源と着信通知情報と連動した情報に更新して着信履歴記憶部２４に保存する（ステップＳ３３）。
【００６２】
そして、親機２で受信した高機能音源を子機３に転送するかどうかをユーザーが判断し（ステップＳ２８）、子機３に高機能音源を転送するときは親機２と子機３と無線通信規約にしたがって音声無線通信を開始し（ステップＳ２９）、親機２は子機３に高機能音源と連動した着信通知情報を送信する（ステップＳ３４）。
【００６３】
ここで、前記ステップにおいて着信通知情報を受けた親機２が、この着信通知情報を着信履歴記憶部２４に保存するステップＳ３１と、高機能音源と着信通知情報とを連動して保存するかをユーザーが判断するステップＳ３２と、ユーザーが高機能音源と着信通知情報とを連動して保存すると決定し高機能音源と着信通知情報と連動した情報に更新して着信履歴記憶部２４に保存するステップＳ３３とが着信履歴記憶ステップである。
【００６４】
以上のように本実施例２によれば、回線を通じて音声信号の送受信を行なうと共に、携帯端末４の高機能音源を利用できる親機２と子機３からなるコードレス電話装置１であって、携帯端末４から送られてくる高機能音源と着信通知情報とを連動させて記憶する着信履歴記憶部２４を親機２に付加したことにより、利用可能な携帯端末の高機能音源を着信通知情報と連動させることで着信相手の特定ができ、更に電子電話帳に登録することで高機能音源の着信音や保留音として再利用することができる。
【００６５】
また上述の通り、コードレス電話装置としてハードウェア的に実現できることは勿論のこと、「ステップ」として把握しコードレス電話制御方法としてソフトウェア的に実現することもできることは明らかである。
【００６６】
（実施例３）
以下、本発明の実施例３におけるコードレス電話装置およびコードレス電話制御方法について、図５を参照しながら説明する。
【００６７】
実施例３のコードレス電話装置１は、基本的には図３の本発明の実施例２におけるコードレス電話装置１の構成と同様である。異なる点は図５に示す本発明の実施例３のコードレス電話装置のブロック図において、携帯端末４から送られてくる高機能音源を記憶する音源記憶部２５をコードレス電話装置１の子機３に備えた構成であり、コードレス電話装置１の子機３の音源記憶部２５の動作は親機２の音源記憶部１１の動作と同様であるため、その説明は省略する。
【００６８】
以上のように本実施例３によれば、回線を通じて音声信号の送受信を行なうと共に、携帯端末４の高機能音源を利用できる親機２と子機３からなるコードレス電話装置１であって、携帯端末４から送られてくる高機能音源を記憶する音源記憶部２５をコードレス電話装置１の子機３に備えたことにより、携帯端末４の高機能音源部２２を使用して多重和音化された着信音や保留音を利用し高機能音源を搭載していないコードレス電話装置１において、多重和音化された着信音や保留音を子機３でも利用できる。
【００６９】
また上述の通り、コードレス電話装置としてハードウェア的に実現できることは勿論のこと、「ステップ」として把握しコードレス電話制御方法としてソフトウェア的に実現することもできることは明らかである。
【００７０】
（実施例４）
以下、本発明の実施例４におけるコードレス電話装置およびコードレス電話制御方法について、図６を参照しながら説明する。
【００７１】
実施例４のコードレス電話装置１は、基本的には図５の本発明の実施例３におけるコードレス電話装置１の構成と同様である。異なる点は図６に示す本発明の実施例４のコードレス電話装置１のブロック図において、携帯端末４から送られてくる高機能音源と着信通知情報とを連動させて記憶する着信履歴記憶部２６をコードレス電話装置１の子機３に付加した構成であり、コードレス電話装置１の子機３の着信履歴記憶部２６の動作は親機２の着信履歴記憶部２４の動作と同様であるため、その説明は省略する。
【００７２】
以上のように本実施例４によれば、回線を通じて音声信号の送受信を行なうと共に、携帯端末４の高機能音源を利用できる親機２と子機３からなるコードレス電話装置１であって、携帯端末４から送られてくる高機能音源と着信通知情報とを連動させて記憶する着信履歴記憶部２６をコードレス電話装置１の子機３に付加したことにより、利用可能な携帯端末の高機能音源を着信通知情報と連動させたり着信相手の特定が子機３でもできる。
【００７３】
また上述の通り、コードレス電話装置としてハードウェア的に実現できることは勿論のこと、「ステップ」として把握しコードレス電話制御方法としてソフトウェア的に実現することもできることは明らかである。
【産業上の利用可能性】
【００７４】
以上のように本発明のコードレス電話装置およびコードレス電話制御方法は、回線を通じて音声信号の送受信を行なうと共に、携帯端末の機能を利用できる親機と子機からなるコードレス電話装置であって、携帯端末の機能を搭載していないコードレス電話装置においてもその機能を利用できるという効果を有し、様々な携帯端末と連携するコードレス電話装置の利用方法として有用である。
【図面の簡単な説明】
【００７５】
【図１】本発明の実施例１のコードレス電話装置のブロック図
【図２】本発明の実施例１のコードレス電話装置の動作を示すフローチャート
【図３】本発明の実施例２のコードレス電話装置のブロック図
【図４】本発明の実施例２のコードレス電話装置の動作を示すフローチャート
【図５】本発明の実施例３のコードレス電話装置のブロック図
【図６】本発明の実施例４のコードレス電話装置のブロック図
【図７】従来のコードレス電話装置のブロック図
【符号の説明】
【００７６】
１    コードレス電話装置
２    親機
３    子機
４    携帯端末
５    親機制御部
６、１５、２３    無線通信部
７    受話器
８    親機操作部
９    親機表示部
１０、２０    電子電話帳
１１、２５    音源記憶部
１２    スピーカーホン通話部
１３    通話回路部
１４    スピーカー／マイク
１６    子機操作部
１７    子機表示部
１８    子機制御部
１９    通話部
２１    スピーカー
２２    高機能音源部
２４、２６    着信履歴記憶部
２７    回線
【図１】
2006174222.tif 000003
【図２】
2006174222.tif 000004
【図３】
2006174222.tif 000005
【図４】
2006174222.tif 000006
【図５】
2006174222.tif 000007
【図６】
2006174222.tif 000008
【図７】
2006174222.tif 000009